(57)【特許請求の範囲】
【請求項１】
少なくとも前端側に長尺なステー部を有する天板受に天板を取り付けるにあたり、前記天板受より上方に向けて突設した第１、第２の天板係り合い部を具備し、天板の下面に設けた開口に両天板係り合い部を挿入して相対動作させることにより、これらの天板係り合い部を開口縁に係り合わせて天板を天板受に取り付けるようにしたものであって、
前記ステー部内に、前記第１、第２の天板係り合い部を相対的に接離動作させるための天板取付用駆動機構を内設しており、
前記天板取付用駆動機構が、ステー部の長手方向に沿って延びるねじ部材を具備し、このねじ部材が、頭部に回転力入力端を設けられ、少なくとも何れか一方の天板係り合い部に係り合っており、一部をリテーナに押し当てた状態で回転することにより天板係り合い部をねじ送りするように構成されており、
前記ねじ部材の頭部に隣接させてステー部内に頭部押えを着脱可能に配置し、この頭部押えに、前記回転力入力端を前方若しくは斜め前方に開放するための開放窓を設けることで、前記回転力入力端を、ねじ部材に沿ってステー部から前方若しくは斜め前方に表出させ得るようにしていることを特徴とする天板取付構造。
【請求項２】
ステー部が、少なくとも一部に中空部を形成する補強部材を内有し、その中空部に天板取付用駆動機構を配置して、第１、第２の天板係り合い部をその補強部材内で相対的に接離動作するように前記天板取付用駆動機構に関連づけている請求項１記載の天板取付構造。
【請求項３】
第１の天板係り合い部が固定位置にあって天板の開口に係り合った際に天板に対する位置決めをなし、第２の天板係り合い部は可動であって天板の開口に食い込むようにして係り合うように構成されている請求項１又は２記載の天板取付構造。
【請求項４】
請求項１〜３のいずれかに記載の天板取付構造によって天板を天板受に取り付けてなることを特徴とする天板付家具。
【発明の詳細な説明】
【技術分野】
【０００１】
本発明は、天板の取り付けを簡単かつ確実に行えるようにした天板取付構造及び天板付家具に関するものである。
【背景技術】
【０００２】
例えば、脚に天板を取り付ける構造として、特許文献１に示すもの等が知られている。このものは、脚のステーの上端に固定爪を設ける一方、天板の下面にフック孔を開口し、フック孔に固定爪を挿入した状態で天板をスライドさせることによって、固定爪をフック孔に係り合わせて、天板を脚に取り付けるようにしている。
【０００３】
また、特許文献２に示すものは、脚支柱の上端に固定爪と可動爪を設ける一方、脚の外壁の外側にグリップ式のねじ部材を取り付け、このねじ部材を可動爪に螺合させて駆動機構を構成している。そして、グリップを操作することによって、外壁を足場にして可動爪を螺進退させ、固定爪及び可動爪を天板の開口に係り合わせるようにしている。
【特許文献１】特許第２６３００４８号公報
【特許文献２】特許第２７１３１９９号公報
【発明の開示】
【発明が解決しようとする課題】
【０００４】
ところが、かかる特許文献１の構成だと、取付金具が露出して外観を損ない易い上に、天板全体を引き寄せなければならないため、比較的大きな締め付け力を必要とするという問題がある。
【０００５】
一方、特許文献２に示すものは、ねじ送りによって可動爪を作動させるので、操作力は軽減されるが、やはりグリップ等が露出して外観を損ね易いという問題がある。
【０００６】
本発明は、このような課題に着目してなされたものであって、特に前端側に長尺なステー部を有する天板受に天板を取り付ける場合等に、天板を脚に簡単に連結でき、その連結のための構造によって外観を損なうことがないようにした天板取付構造及び天板付家具を実現することを目的としている。
【課題を解決するための手段】
【０００７】
本発明は、かかる目的を達成するために、次のような手段を講じたものである。
【０００８】
先ず、本発明の天板取付構造は、少なくとも前端側に長尺なステー部を有する天板受に天板を取り付けるにあたり、前記天板受より上方に向けて突設した第１、第２の天板係り合い部を具備し、天板の下面に設けた開口に両天板係り合い部を挿入して相対動作させることにより、これらの天板係り合い部を開口縁に係り合わせて天板を天板受に取り付けるようにしたものである。そして、前記ステー部内に、前記第１、第２の天板係り合い部を相対的に接離動作させるための天板取付用駆動機構を内設しており、前記天板取付用駆動機構が、ステー部の長手方向に沿って延びるねじ部材を具備し、このねじ部材が、頭部に回転力入力端を設けられ、少なくとも何れか一方の天板係り合い部に係り合っており、一部をリテーナに押し当てた状態で回転することにより天板係り合い部をねじ送りするように構成されており、前記ねじ部材の頭部に隣接させてステー部内に頭部押えを着脱可能に配置し、この頭部押えに、前記回転力入力端を前方若しくは斜め前方に開放するための開放窓を設けることで、前記回転力入力端を、ねじ部材に沿ってステー部から前方若しくは斜め前方に表出させ得るようにしていることを特徴とする。
【０００９】
このように天板係り合い部の相対的な接離動作を利用するものは、操作が簡単である反面、天板取付用駆動機構を配置するためにデスク等の外観に何らしかの大きな突出部分が存在するものであったが、本発明のように天板取付用駆動機構をステー部に内設するようにすれば、脚などの外観を損なわずに、着脱容易な天板取付構造を有効に実現することができる。そして、駆動機構を構成する部品類が組み込まれることで、これらを紛失することなく天板付家具の施工等が可能となる。
【００１０】
また、ねじ部材はステー部の長手方向に沿って配置し易く、ねじ送り本来の機能を利用して軽い操作力で高い駆動力を得ることができる上に、回転力入力端を前方若しくは斜め前方に沿ってステー部から表出させているので、天板受上に天板を載せ置いた状態で前方から作業をすることができ、良好な作業性を確保することができる。
【００１１】
さらには、ねじ部材の頭部に隣接させてステー部内に頭部押えを着脱可能に配置することで、ねじ部材を緩める際にねじ部材の軸心位置を一定に保って、回転力入力端に入力される回転力で天板係り合い部を的確にねじ送りすることができる。
【００１２】
なお、天板取付用駆動機構自体には手動で操作するもの以外に電動で動作するものも含まれる。
【００１３】
天板取付用駆動機構の適切な作動を確保するためには、ステー部が、少なくとも一部に中空部を形成する補強部材を内有し、その中空部に天板取付用駆動機構を配置して、第１、第２の天板係り合い部をその補強部材内で相対的に接離動作するように前記天板取付用駆動機構に関連づけていることが望ましい。
【００１４】
天板付家具に付帯する天板の位置決めを適切になすためには、第１の天板係り合い部が固定位置にあって天板の開口に係り合った際に天板に対する位置決めをなし、第２の天板係り合い部は可動であって天板の開口に食い込むようにして係り合うように構成されていることが望ましい。
【００１５】
このような天板取付構造を利用すれば、外観を損なわずに天板の着脱を簡単、適切に行うことのできる天板付家具を提供することができる。
【発明の効果】
【００１６】
本発明は、以上説明した構成であるから、特に前端側に長尺なステー部を有する天板受に天板を取り付ける場合等に、天板を脚に簡単に連結でき、その連結のための構造によって外観を損なうことがないようにした天板取付構造と、天板付家具を提供することが可能となる。
【発明を実施するための最良の形態】
【００１７】
以下、本発明の一実施形態を、図面を参照して説明する。
【００１８】
図１及び図２は、この実施形態の取付構造が適用されるデスクを示している。このデスクは、一対の脚１，１の間を補強メンバを兼ねる天板２及び背板３で連結して構成されるものである。
【００１９】
脚１は脚側板１１の上下両端より前方に延びるステー部１２及びベース部１３を備えたもので、ステー部１２の後方であって脚側板１１の上方位置に第１の天板係り合い部たる上向き固定爪１２１を突出し、ステー部１２の前端側の上方に第２の天板係り合い部たる上向き可動爪１２２を突出させている。また、脚側板１１の中段部の後方に第１の背板係り合い部たる後向き固定爪１１１を突出し、脚側板１１の上段部の後方に第２の背板係り合い部たる後向き可動爪１１２を突出させている。
【００２０】
脚１の内部構造は、図３及び図４（ｂ）に示すように、脚側板１１の前後２箇所に内設される前側縦補強部１１０Ｘおよび後側縦補強部１１０Ｙと、図３及び図４（ａ）に示すように、ステー部１２に内設されて当該ステー部１２に沿って延びる上補強部１２０と、図３及び図４（ｃ）に示すように、ベース部１３に内設されて当該ベース部１３の長手方向に沿って延びる下補強部１３０とを具備しており、その内側にハニカム状のペーパコア１１０Ｚを配置している。そして、これらの補強部１１０Ｘ，１１０Ｙ、１２０、１３０及びペーパコア１１０Ｚの左右両面に接着材を介して鋼板１０をそれぞれ添設させ、加圧接着加工によりこれら補強部１１０Ｘ，１１０Ｙ、１２０、１３０と、ペーパコア１１０Ｚと、鋼板１０とを接合している。
【００２１】
上補強部１２０は、図５に示すように、下向コ字形の外側上補強部材１２０ａの内側において、前端付近を除く部位に下向コ字形をなす第１の内側上補強部材１２０ｂを配置し、前端付近に上向コ字形をなす第２の内側上補強部材１２０ｃを配置したものである。
【００２２】
そして、図５〜図７に示すように、前記上補強部１２０に、上向き固定爪１２１と上向き可動爪１２２をそれぞれ対をなして設けるとともに、上向き固定爪１２１に対して上向き可動爪１２２を相対的に接離動作させるための天板取付用駆動機構４を上補強部１２０内に組み込んでいる。
【００２３】
上向き固定爪１２１は、脚側板１１の上方位置において外側上補強部材１２０ａの一部に固定して設けられ、首部１２１ａを外側上補強部材１２０ａに設けたスリット１２０ａ１を通過して上方に突出させたもので、先端部１２１ｂを反使用縁側に向けて逆Ｌ字形に屈曲している。この上向き固定爪１２１の先端部１２１ｂの下縁１２１ｂ´はステー部１２の上向面に対して傾斜したテーパ状をなしている。
【００２４】
上向き可動爪１２２は、ステー部１２の前端付近において外側上補強部材１２０ａと第２の内側上補強部材１２０ｃとによって形成される中空部内に非固定状態で設けられ、首部１２２ａを外側上補強部材１２０ａに設けたスリット１２０ａ２を通過して上方に突出させたもので、先端部１２２ｂを使用縁側に向けて逆Ｌ字形に屈曲させている。この上向き可動爪１２２の先端部１２２ｂの下縁１２２ｂ´はステー部１２の上向面に対して傾斜したテーパ状をなしている。
【００２５】
天板取付用駆動機構４は、前記上向き可動爪１２２の基端同士を連結する連結部１２２ｃに設けたねじ孔部４１と、ステー部１２の長手方向に沿って配置され先端側を前記ねじ孔４１にねじ送り可能に螺合させるねじ部材４２とを具備するもので、このねじ部材４２はねじ孔部４１に螺合する手前で第２の内側上補強部材１２０ｃに固定して設けたリテーナ４３の軸通過孔４３ａに差し込まれるようにしている。この通過孔４３ａの孔径はねじ部材４２の頭部４２ａよりも小径に設定されており、ねじ部材４２の頭部４２ａには工具を係り合わせることのできる六角穴等の操作力入力端４２ｘが設けられている。また、このねじ部材４２の手前側には、頭部を前方に開放するための開放窓４４ａを有した頭部押えたるシャッター４４がねじ部材４２を組み込んだ後に装着されるようにしており、シャッター４４を通過させるスリット１２０ａ３が外側上補強部材１２０ａの上面に開口し、シャッター４４に設けた下向の凸部４４ｂを差し込むシャッター受け孔１２０ｃ１が第２の内側上補強部材１２０ｃの底部に開口している。
【００２６】
ねじ部材４２は、頭部４２ａをリテーナ４３に押し当てた状態でシャッター４４の孔４４ａを介して前方から挿入した工具によって回転操作される。
【００２７】
このような構成により、ステー部１２の上向面から脚側板１１の上向面に亘る部位が天板受１ｘとなる。
【００２８】
そして、ねじ部材４２を回転させるための回転力入力端４２ｘを、ねじ部材４２に沿って図２に示すステー部１２の前方に表出させ得るようにしており、そのステー部１２の前方には、非操作時にキャップｃ１が装着されるようにしている。
【００２９】
一方、天板２は、図２に示すように、面板部２１の下面に前枠２２、後枠２３及び左右の側枠２４を有したもので、側枠２４における前記上向き固定爪１２１及び上向き可動爪１２２の対応位置にそれぞれ開口たる一対のフック孔２０１，２０２が形成してある。
【００３０】
そして、図８に示すように、ステー部１２及び脚側板１１からなる天板受１ｘ上に天板２を、それらのフック孔２０１，２０２を介して上向き固定爪１２１及び上向き可動爪１２２を挿入した状態で載せ置き、その状態から前記ねじ部材４２に電動工具Ｐ等を係り合わせて駆動することによって、上向き可動爪１２２を上向き固定爪１２１から離れる方向にねじ送りし、これにより上向き固定爪１２１を対応するフック孔２０１の後縁に、また上向き可動爪１２２を対応するフック孔２０２の前縁にそれぞれ係り合わせて、天板２を天板受１ｘ上に固定するようにしている。このとき、上向き固定爪１２１を上向き可動爪１２２に比してフック孔２０１の後縁に優先的に係り合うような形状（例えば先端１２１ｂのテーパの傾斜を緩くしたり首部１２１ａを長くするなど）に設定すれば、上向き固定爪１２１で天板２の奥行き方向の位置決めをなし、上向き可動爪１２２をフック孔２０２の前縁に食い込むようにして係り合わせて強く連結することができる。フック孔２０１，２０２は固定爪１２１及び可動爪１２２が係り合う方向に向かって漸次巾狭になっており、固定爪１２１及び可動爪１２２がフック孔２０１，２０２に食い込むに従って天板２と脚１を巾方向にも強連結できるようにもなっている。この場合、ステー部１２の前端はキャップｃ１を装着しない状態では前方に開口して、その開口の奥にねじ部材４２のねじ頭４２ａが待機した状態にあり、前方からその操作力入力端４２ｘに電動工具Ｐ等を差し込んでねじ部材４２を駆動することにより、天板２を支持する左右の脚１、１それぞれにつき１回の作業で天板２の脚１への連結を完了することができる。
【００３１】
後側縦補強部１１０Ｙは、図９及び図１０に示すように、前向コ字形の外側縦補強部材１１０ａの内側において、中段部に板状をなす第１の内側縦補強部材１１０ｂを配置し、上端付近に前向コ字形をなす第２の内側縦補強部材１１０ｃを配置したもので、外側が鋼板によって化粧されるようにしている。
【００３２】
そして、図９〜図１１に示すように、前記後側縦補強部１１０Ｙに、後向き固定爪１１１と後向き可動爪１１２とをそれぞれ対をなして設けるとともに、後向き固定爪１１１に対して後向き可動爪１１２を相対的に接離動作させるための背板取付用駆動機構５を後側縦補強部１１０Ｙ内に組み込んでいる。
【００３３】
後向き固定爪１１１は、第１の内側縦補強部材１１０ｂの一部に固定して設けられ、首部１１１ａを外側縦補強部材１１０ａに設けたスリット１１０ａ１を通過して後方に突出させたもので、先端部１１１ｂを下方に向けて逆Ｌ字形に屈曲させている。この後向き固定爪１１１の先端部１１１ｂの下縁１１１ｂ´は脚側板１１の裏面に対して傾斜したテーパ状をなしている。
【００３４】
後向き可動爪１１２は、外側縦補強部材１１０ａと第２の内側縦補強部材１１０ｃとによって形成される中空部内に非固定状態で設けられ、首部１１２ａを外側縦補強部材１１０ａに設けたスリット１１０ａ２を通過して後方に突出させたもので、先端部１１２ｂを上方に向けて逆Ｌ字形に屈曲させている。後向き可動爪１１２の先端部１１２ｂの下縁１１２ｂ´は脚側板１１の裏面に対して傾斜したテーパ状をなしている。
【００３５】
背板取付用駆動機構５は、前記後向き可動爪１１２の基端同士を連結する連結部１１２ｃに設けたねじ孔部５１と、脚側板１１の上下方向に沿って配置され先端側を前記ねじ孔５１にねじ送り可能に螺合させたねじ部材５２とを具備するもので、このねじ部材５２はねじ孔部５１に螺合する手前で第２の内側縦補強部材１１０ｃに固定して設けたリテーナ５３の通過孔５３ａに差し込まれるようにしている。この通過孔５３ａの孔径はねじ部材５２の頭部５２ａよりも小径に設定されており、ねじ部材５２の頭部５２ａには工具を係り合わせることのできる六角穴等の操作力入力端５２ｘが設けられている。また、このねじ部材５２の手前側には、頭部５２ａを上方に開放するための開放窓５４ａを有した頭部押えたるシャッター５４がねじ部材５２を組み込んだ後に装着されるようにしており、シャッター５４を通過させるスリット１１０ａ３が外側縦補強部材１１０ａに開口し、シャッター５４に設けた前向の凸部５４ｂを差し込むシャッター受け孔１１０ｃ１が第２の内側縦補強部材１１０ｃに開口している。
【００３６】
ねじ部材５２は、頭部５２ａをリテーナ５３に押し当てた状態でシャッター５４の孔５４ａを介して上方から挿入した工具によって回転操作される。
【００３７】
このような構成により、脚側板１１の裏面が背板受１ｙとなる。
【００３８】
そして、ねじ部材５２を回転させるための回転力入力端５２ｘを、ねじ部材５２に沿って図２に示すように脚側板１１の後端側から上方に表出させ得るようにしており、その脚側板１１の上方には、非操作時にキャップｃ２が装着されるようにしている。
【００３９】
一方、背板３は、図２に示すように、面板部３１の前面側に少なくとも左右の側枠３４を有したもので、側枠３４における前記後向き固定爪１１１及び後向き可動爪１１２の対応位置にそれぞれ開口たる一対のフック孔３０１，３０２が形成してある。
【００４０】
そして、図１２に示すように、脚側板１１の後方に背板３を、それらのフック孔３０１，３０２を介して後向き固定爪１１１及び後向き可動爪１１２を挿入した状態で添設させ、その状態から前記ねじ部材５２に電動工具Ｐ等を係り合わせて駆動することによって、後向き可動爪１１２を後向き固定爪１１１から離れる方向にねじ送りし、これにより後向き固定爪１１１を対応するフック孔３０１の下縁に、また後向き可動爪１１２を対応するフック孔３０２の上縁にそれぞれ係り合わせて、背板３を脚側板１１の後面に固定するようにしている。このとき、後向き固定爪１１１を、後向き可動爪１１２に比してフック孔３０１の下縁に優先的に係り合うような形状（例えば先端１１１ｂのテーパの傾斜を緩くしたり首部１１１ａを長くするなど）に設定すれば、後向き固定爪１１１で背板３の奥行き方向の位置決めをなし、上向き可動爪１２２をフック孔３０２の上縁に食い込むようにして係り合わせて強く連結することができる。この場合、脚側板１１の上端はキャップｃ２を装着しない状態では上方に開口して、その開口の奥にねじ部材５２のねじ頭５２ａが待機した状態にあり、前方からその操作力入力端５２ｘに電動工具Ｐ等を差し込んでねじ部材５２を駆動することにより、天板２を支持する左右の脚１、１それぞれにつき１回の作業で背板３の脚１への連結を完了することができる。なお、フック孔３０１、３０２の下にはもう１つのフック孔３００が設けてあり、上記においてフック孔３０１とある部分をフック孔３００に、フック孔３０２とある部分をフック孔３０１にそれぞれ読み替えれば、背板３を脚１に対してより高い位置に取り付けることができるようになっている。
【００４１】
なお、以上において、上向き固定爪１２１及び上向き可動爪１２２はそれぞれ対をなしており、天板２のフック孔２０１，２０２もそれぞれ対をなしているため、脚１をエンド脚として使用するときは、図１３に示すように、各々対をなす上向き固定爪１２１及び上向き可動爪１２２を両フック孔２０１，２０２に係り合わせて天板２の側端面が脚１から側方に突出しないように配置されるが、中間脚として使用するときは、図１４→図１５に示すように、脚１の上に左右の天板２，２を片半部づつ天板受１ｘ上に載せ置き、上向き固定爪１２１と上向き可動爪１２２をそれぞれ各天板２の最寄のフック孔２０１，２０２に半分づつ係り合わせることで、部材の追加等を一切せずに使用態様を変更することができる。そして、前述したように、フック孔２０１，２０２は固定爪１２１及び可動爪１２２が係り合う方向に向かって漸次巾狭になっているため、固定爪１２１及び可動爪１２２がフック孔２０１，２０２に食い込むに従って左右の天板２、２を巾方向に引き寄せて強連結できるようにもなっている。同様に、後向き可動爪１１２と後向き固定爪１１１はそれぞれ対をなしており、背板３のフック孔３０２，３０１もそれぞれ対をなしているため、脚１をエンド脚として使用するときは、図１３に示すように、両爪１１２，１１１を両フック孔３０２，３０１に係り合わせて背板３の側端面が脚１から側方に突出しないように脚１の内面ではなく後向き面である背板受１ｙに取り付いて配置されるが、中間脚として使用するときは、図１４→図１５に示すように、脚１の背板受１ｙに左右の背板３，３を片半部づつ添設し、爪１１２，１１１をそれぞれ各背板３の最寄のフック孔３０２，３０１に半分づつ係り合わせることで、部材の追加等を一切せずに使用態様を変更することができる。
【００４２】
以上のように、この実施形態に係る天板取付構造は、少なくとも前端側に長尺なステー部１２を有する天板受１ｘに天板２を取り付けるにあたり、天板受１ｘより上方に向けて突設した第１の天板係り合い部たる上向き固定爪１２１及び第２の天板係り合い部たる上向き可動爪１２２を具備し、天板２の下面に設けた開口たるフック孔２０１，２０２に上向き固定爪１２１及び上向き可動爪１２２を挿入して相対動作させることにより、これら両爪１２１，１２２をフック孔２０１、２０２の開口縁に係り合わせて天板２を天板受１ｘに取り付けるようにしたものである。
【００４３】
そして、前記ステー部１２内に、上向き固定爪１２１及び上向き可動爪１２２を相対的に接離動作させるための天板取付用駆動機構４を内設したものである。
このように上向き固定爪１２１と上向き可動爪１２２の相対的な接離動作を利用するものは、操作が簡単である反面、天板取付用駆動機構を配置するためにデスク等の外観に何らしかの大きな突出部分が存在するものであったが、本実施形態のように天板取付用駆動機構４をステー部１２に内設するようにすれば、ねじ部材４２等が露出することがないため、脚１などの外観を損なわずに着脱容易な天板取付構造を有効に実現することができる。そして、駆動機構を構成する部品類が組み込まれることで、これらを紛失することなく天板付家具の施工等が可能となる。
【００４４】
この場合、ステー部１２が、一部に中空部を形成する外側上補強部材１２０ａ及び第２の内側上補強部材１２０ｃを内有し、その中空部に天板取付用駆動機構４を配置して、上向き固定爪１２１及び上向き可動爪１２２をそれらの補強部材１２０ａ、１２０ｃ内で相対的に接離動作するように前記天板取付用駆動機構４に関連づけているので、天板取付用駆動機構４に的確な足場とガイド部位を得ることができ、上向き固定爪１２１、上向き可動爪１２２同士の円滑な接離動作を通じて固定力の入力を確実に行うことができる。
【００４５】
具体的には、天板取付用駆動機構４が、ステー部１２の長手方向に沿って延びるねじ部材４２を具備し、このねじ部材４２を一方の天板係り合い部である可動爪１２２に係り合わせてこれをねじ送りするように構成しているので、ねじ部材４２はステー部１２の長手方向に沿って配置し易いし、ねじ送り本来の機能を利用して軽い操作力で高い駆動力を得ることができる。
【００４６】
そして、ねじ部材４２を回転させるための回転力入力端４２ｘを、ねじ部材４２の前方若しくは斜め前方に沿ってステー部１２から表出させ、前方若しくは斜め前方から操作し得るようにしているので、天板受１２ｘ上に天板２を載せ置いた状態で前方から作業をすることができ、良好な作業性を確保することができる。
【００４７】
この場合、ねじ部材４２は、頭部４２ａに回転力入力端４２ｘを設けられ、一部をリテーナ４３に押し当てた状態で回転することにより上向き可動爪１２２をねじ送りするように構成されているとともに、その頭部４２ａに隣接させてステー部１２内にシャッター４４を着脱可能に配置し、このシャッター４４に、前記回転力入力端４２ｘを前方に開放するための開放窓４４ａを設けている。すなわち、ねじ部材４２を緩める際に、ねじ部材４２全体が反力を受けて前方に移動したのでは上向き可動爪１２２に対する実質的なねじ送り機能が発揮できないが、このようなシャッター４４を設けると、ねじ部材４２の軸心位置が一定に保たれるので、回転力入力端４２ｘに入力される回転力で上向き可動爪１２２を的確にねじ送りすることができる。
【００４８】
また、上向き固定爪１２１が固定位置にあって天板２のフック孔２０１に係り合った際に天板２に対する位置決めをなし、上向き可動爪１２２が天板２のフック孔２０１に食い込むようにして係り合うように構成しているので、デスク２を横連結した場合等に上向き固定爪１２１によって天板２，２同士の使用縁及び反使用縁が確実に揃うことになり、簡単な連結作業でも見栄えのよいレイアウトを容易に実現することができる。そして、上向き固定爪１２１と上向き可動爪１２２の離間距離によらず、上向き可動爪１２２の周辺に天板取付用駆動機構４をコンパクトに組み込むことができるので、嵩張りを抑える設計も容易となる。
【００４９】
さらに、ステー部１２が、脚側板１１及びベース部１３とともに側面視コ字形の脚１を構成するものであり、特に、このような形態の脚は天板取付用駆動機構が外部に露出し易いものであったため、本実施形態を適用することにより従来の不具合が大幅に改善されることになる。
【００５０】
そして、このような天板取付構造を利用すれば、外観を損なわずに天板２の着脱を簡単、適切に行うことのできる天板付家具を提供することができる。
【００５１】
一方、本実施形態に係る背板の取付構造は、後端側の少なくとも一部に中空部を形成する外側縦補強部材１１０ａ及び第２の内側縦補強部材１１０ｃを内有してなる脚側板１１に背板３を取り付けるにあたり、脚側板１１より後方に向けて突設した第１の背板係り合い部たる後向き固定爪１１１及び第２の背板係り合い部たる後向き可動爪１１２を具備し、背板３の前面に設けた開口たるフック孔３０１，３０２にこれら後向き固定爪１１１及び後向き可動爪１１２を挿入して相対動作させることにより、これら両爪１１２をフック孔３０１，３０２開口縁に係り合わせて背板３を脚側板１１の後面に取り付けるようにしたものである。そして、前記脚側板内に、両爪１１１，１１２を接離動作させるための背板取付用駆動機構５を内設している。
【００５２】
上記に準じて、背板取付用駆動機構５を脚側板１１に内設するようにすれば、ねじ部材５２等が露出することがないため、脚１などの外観を損なわずに着脱容易な背板取付構造を有効に実現することができる。そして、駆動機構を構成する部品類が組み込まれることで、これらを紛失することなく背板付家具の施工等が可能となる。
【００５３】
この場合、脚側板１１が、少なくとも一部に中空部を形成する外側縦補強部材１１０ａ及び第２の内側縦補強部材１１０ｃからなる縦補強部１１０Ｙを内有し、その中空部に背板取付用駆動機構５を配置して、後向き固定爪１１１及び後向き可動爪１１２をそれらの補強部材１１０ａ、１１０ｃ内で相対的に接離動作するように前記背板取付用駆動機構５に関連づけているので、背板取付用駆動機構５に的確な足場とガイド部位を得ることができ、後向き固定爪１１１、後向き可動爪１１２同士の円滑な接離動作を通じて固定力の入力を確実に行うことができる。
【００５４】
具体的には、背板取付用駆動機構５を、脚側板１１の後面に沿って延びるねじ部材５２を具備し、このねじ部材５２を一方の背板係り合い部である後向き可動爪１１２に係り合わせてこれをねじ送りするように構成しているので、デスク２を横連結した場合等に後向き固定爪１１１によって背板３，３同士の高さを適切に揃えることができる。そして、ねじ部材５２は脚側板１１の後面に沿って配置し易いし、後向き固定爪１１１と後向き可動爪１１２の離間距離によらずに適用できるので設計が容易であり、ねじ送り本来の機能を利用して軽い操作力で高い駆動力を得ることができる。
【００５５】
そして、ねじ部材５２を回転させるための回転力入力端５２ｘを、ねじ部材５２の上方若しくは斜め上方に沿って脚側板１１から表出させ、上方若しくは斜め上方から操作し得るようにしているので、脚側板１１の後面に背板３を添設させた状態で上方から作業をすることができ、良好な作業性を確保することができる。
【００５６】
この場合、かかるねじ部材５２は、頭部５２ａに回転力入力端５２ｘを設けられ、一部をリテーナ５３に押し当てた状態で回転することにより後向き可動爪１１２をねじ送りするように構成されているとともに、その頭部５２ａに隣接させて脚側板１１内にシャッター５４を着脱可能に配置し、このシャッター５４に、前記回転力入力端５２ｘを上方に開放するための開放窓４４ａを設けている。すなわち、ねじ部材５２を緩める際に、ねじ部材５２全体が反力を受けて上方に移動したのでは後向き可動爪１１２に対する実質的なねじ送り機能が発揮できないが、このようなシャッター５４を設けると、ねじ部材５２の軸心位置が一定に保たれるので、回転力入力端５２ｘに入力される回転力で後向き可動爪１１２を的確にねじ送りすることができる。
【００５７】
また、後向き固定爪１１１が固定位置にあって背板３のフック孔３０１に係り合った際に背板３に対する位置決めをなし、後向き可動爪１１２は背板３の開口３０２に食い込むようにして係り合うように構成しているので、このデスクを横連結した場合に背板３の上縁及び下縁が確実に揃うことになり、簡単な連結作業でも見栄えのよいレイアウトを容易に実現することができる。
【００５８】
さらに、脚側板１１が、ステー部１２及びベース部１３とともに側面視コ字形の脚１を構成するものであり、特に、このような形態の脚は背取付用駆動機構が外部に露出し易いものであったため、本実施形態を適用することにより従来の不具合が大幅に改善されることになる。
【００５９】
そして、このような背板取付構造を利用すれば、外観を損なわずに背板３の着脱を簡単、適切に行うことのできる背板付家具を提供することができる。
【００６０】
なお、各部の具体的な構成は、上述した実施形態のみに限定されるものではなく、本発明の趣旨を逸脱しない範囲で種々変形が可能である。
【００６１】
例えば、天板や背板の取り付けに際し、図１６に示すように、第１、第２の係り合い部を一対の可動爪ｍ１、ｍ２から構成するとともに、一方の可動爪ｍ１を貫通させたねじ部材ｍ３を他方の可動爪ｍ２に螺合させ、この他方の可動爪ｍ２に対するねじ部材ｍ３の相対的なねじ送り操作によって、ねじ部材ｍ３の頭部ｍ３´と可動爪ｍ２のねじ孔ｍ２´との距離を変化させ、これにより可動爪ｍ１、ｍ２同士を相対的に接離動作させるようにしてもよい。この場合、両可動爪ｍ１、ｍ２を前述したような一対のフック孔ｍ４、ｍ５に挿入した段階では両可動爪ｍ１、ｍ２はフック孔で遊動し得る範囲でねじ部材ｍ３とともに軸心方向に移動し得るが、ねじ送りによってねじ部材ｍ３の頭部ｍ３´と可動爪ｍ２のねじ孔ｍ２´との距離が変化すると、ある距離において各々の可動爪ｍ１、ｍ２がフック孔ｍ４、ｍ５の縁部に係合して、天板や背板を脚に取り付けることが可能となる。そして、このような成り行きで締める構造によれば、ねじ送りによって天板や背板を引きずることがなく、天板と脚の間、或いは背板と脚の間を凹凸等からなる別異の位置決め手段によって位置決めすることができるので、天板や背板の着脱作業の平易化と、これらのより高い位置決め機能とを両立させることができる。
【図面の簡単な説明】
【００６２】
【図１】本発明の一実施形態を適用したデスクの斜視図。
【図２】同デスクを構成する脚の構造説明図。
【図３】図１の分解斜視図。
【図４】図２の脚の部分断面図。
【図５】脚のステー部を示す分解斜視図。
【図６】脚のステー部を示す一部組立斜視図。
【図７】図６のステー部の部分断面図。
【図８】ステー部と天板との連結手順を示す図。
【図９】脚の脚側板部分を示す分解斜視図。
【図１０】脚の脚側板部分を示す一部組立斜視図。
【図１１】図１０の脚側板部分の部分断面図。
【図１２】脚側板部分と背板との連結手順を示す図。
【図１３】天板及び脚の取付状態を示す後方斜視図。
【図１４】天板及び脚の取付状態を示す後方斜視図。
【図１５】天板及び脚の取付状態を示す後方斜視図。
【図１６】本発明の変形例を示す図。
【符号の説明】
【００６３】
１…脚
１ｘ…天板受
１ｙ…背板受
２…天板
３…背板
４…天板取付用駆動機構
５…背板取付用駆動機構
１１…脚側板
１２…ステー部
４２…ねじ部材
４２ｘ…回転力入力端
４３…リテーナ
４４…頭部押え（シャッター）
５２…ねじ部材
５２ｘ…回転力入力端
５３…リテーナ
５４…頭部押え（シャッター）
１１１…第１の背板係り合い部（後向き固定爪）
１１２…第２の背板係り合い部（後向き可動爪）
１２１…第１の天板係り合い部（上向き固定爪）
１２２…第２の天板係り合い部（上向き可動爪）
２０１，２０２…開口（フック孔）
３０１，３０２…開口（フック孔）
【図１】
0005370954.tif 000002
【図２】
0005370954.tif 000003
【図３】
0005370954.tif 000004
【図４】
0005370954.tif 000005
【図５】
0005370954.tif 000006
【図６】
0005370954.tif 000007
【図７】
0005370954.tif 000008
【図８】
0005370954.tif 000009
【図９】
0005370954.tif 000010
【図１０】
0005370954.tif 000011
【図１１】
0005370954.tif 000012
【図１２】
0005370954.tif 000013
【図１３】
0005370954.tif 000014
【図１４】
0005370954.tif 000015
【図１５】
0005370954.tif 000016
【図１６】
0005370954.tif 000017